(57)【要約】【課題】本発明の課題は、横長形状の開閉ボタンの端側を押し下げても安定して蓋を開くことができ、さらにデザイン性を損なわない開閉機構を提供することにある。【解決手段】本発明に係る開閉機構１４２は、押圧操作可能である開閉ボタン１４２ａと、掛止部１４６ｄを有し、付勢部によって上方に向かって付勢される係止部材１４６と、を備え、前記開閉ボタンは、少なくとも３つの突起部を有し、前記係止部材は、前記開閉ボタンの押圧により少なくとも１つの前記突起部によって押圧される被押圧部１４６ｂをさらに有し、前記突起部は、前記被押圧部に対向して配設されており、前記掛止部は、前記被押圧部が押し下げられると開放方向に回動する。【選択図】図４
2020192075.tif 000002
【特許請求の範囲】
【請求項１】
押圧操作可能である開閉ボタンと、
掛止部を有し、付勢部によって上方に向かって付勢される係止部材と、を備え、
前記開閉ボタンは、少なくとも３つの突起部を有し、
前記係止部材は、前記開閉ボタンの押圧により少なくとも１つの前記突起部によって押圧される被押圧部をさらに有し、
前記突起部は、前記被押圧部に対向して配設されており、
前記掛止部は、前記被押圧部が押し下げられると開放方向に回動する、開閉機構。
【請求項２】
前記開閉ボタンは、横長の形状であり、
前記係止部材は、軸によって枢支されており、
前記突起部は、前記開閉ボタンの長手方向に沿って配設され、前記軸と略平行関係にある、請求項１に記載の開閉機構。
【請求項３】
前記突起部は、前記開閉ボタンの中央部から両端に向かうほど前記被押圧部との距離が長くなるように配設される、請求項１または２に記載の開閉機構。
【請求項４】
前記少なくとも３つの突起部は、中央側に配設される前記突起部ほど前記被押圧部との距離が短くなる、請求項１から３のいずれか一項に記載の開閉機構。
【発明の詳細な説明】
【技術分野】
【０００１】
本発明は、開閉機構に関する。
【背景技術】
【０００２】
上蓋に設けられた横長の凹部内に配設される蓋開閉ボタンを圧下すると、押圧部が受け片を圧下してフックを回動させ、係止爪が係止部から離脱して、蓋体がヒンジ部を軸に開放する炊飯器が過去に提案されている（例えば、特開２００７−７５４１１号公報等参照）。
【先行技術文献】
【特許文献】
【０００３】
【特許文献１】特開２００７−７５４１１号公報
【発明の概要】
【発明が解決しようとする課題】
【０００４】
ところで、開閉ボタンの形状は、デザイン性を考慮して多種多様である。しかし、横長形状の開閉ボタンにおいて、開閉ボタンの端側を押し下げても開閉ボタンが傾くだけで蓋が開かないことがある。これは、被押圧部を押圧する突起部は開閉ボタンの中央部にのみ配設されており、開閉ボタンの中央部を押し下げた場合は突起部が被押圧部を押圧するが、開閉ボタンの端側を押し下げた場合は突起部が被押圧部を押圧しないことがあるためである。開閉ボタンの端側を押し下げて蓋が開かない場合、開閉ボタンの中央部を押し下げなおす必要があり、このような作業を煩わしく感じる者もいる。また、突起部と被押圧部を一体化した場合、開閉ボタンの押し下げによって、軸を中心として開閉ボタンは被押圧部と共に円軌道を描く。この結果、円軌道を描くための空間を設ける必要があり、デザイン性を著しく損ねることとなる。
【０００５】
本発明の課題は、横長形状の開閉ボタンの端側を押し下げても安定して蓋を開くことができ、さらにデザイン性を損なわない開閉機構を提供することにある。
【課題を解決するための手段】
【０００６】
本発明に係る開閉機構は、
押圧操作可能である開閉ボタンと、
掛止部を有し、付勢部によって上方に向かって付勢される係止部材と、を備え、
前記開閉ボタンは、少なくとも３つの突起部を有し、
前記係止部材は、前記開閉ボタンの押圧により少なくとも１つの前記突起部によって押圧される被押圧部をさらに有し、
前記突起部は、前記被押圧部に対向して配設されており、
前記掛止部は、前記被押圧部が押し下げられると開放方向に回動する。
【０００７】
上記構成によれば、突起部が被押圧部を押圧する箇所を増やすことができる。このため、この開閉機構では、開閉ボタンの中央部だけでなく端側にも突起部を配設することで、開閉ボタンの端側を押し下げても蓋を開くことができる。
【０００８】
本発明では、
前記開閉ボタンは、横長の形状であり、
前記係止部材は、軸によって枢支されており、
前記突起部は、前記開閉ボタンの長手方向に沿って配設され、前記軸と略平行関係にあると好適である。
【０００９】
上記構成によれば、突起部が開閉ボタンの長手方向に並んでおり、開閉ボタンの端側を押し下げても端側の突起部が被押圧部を押圧する。このため、この開閉機構では、安定して蓋を開くことができる。
【００１０】
本発明では、
前記突起部は、前記開閉ボタンの中央部から両端に向かうほど前記被押圧部との距離が長くなるように配設されると好適である。
【００１１】
上記構成によれば、開閉ボタンの端側を押し下げた際、端側の突起部だけでなく中央部の突起部も被押圧部を押圧可能となる。このため、この開閉機構では、より安定して蓋を開くことができる。
【００１２】
本発明では、
前記少なくとも３つの突起部は、中央側に配設される前記突起部ほど前記被押圧部との距離が短くなると好適である。
【００１３】
上記構成によれば、端側の突起部が被押圧部を押圧した際、端側の突起部だけでなく中央側の突起部も被押圧部を押圧可能となる。このため、この開閉機構では、より安定して蓋を開くことができる。
【図面の簡単な説明】
【００１４】
【図１】本発明の実施の形態に係る炊飯器の正面図である。
【図２】図１のＩ−Ｉ断面図である。
【図３】本発明の実施の形態に係る炊飯器を構成する開閉機構の上方分解斜視図である。
【図４】本発明の実施の形態に係る炊飯器を構成する開閉機構の下方分解斜視図である。
【図５】図３および図４のボタンカバーの底面図である。
【図６】図３および図４のボタン本体の底面図である。
【図７】本発明の実施形態に係る炊飯器を構成する蓋体の内側を示す平面図である。
【発明を実施するための形態】
【００１５】
＜本発明の実施の形態に係る炊飯器の構造＞
本発明の実施の形態に係る炊飯器１００は、誘導加熱式の圧力炊飯器であって、図１および図２に示されるように、主に、本体１１０、内鍋１３０、蓋体１４０およびヒンジ機構１５０から構成される。以下、これらの構成要素について詳述する。
【００１６】
１．本体
本体１１０は、図１〜図２に示されるように、主に、筐体１１１、取っ手１１２、断熱材（図示せず）、誘導加熱コイル１１３、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００１７】
（１）筐体
筐体１１１は、図１〜図２に示されるように、主に、側壁１１１ａ、底壁１１１ｂ、肩部材１１１ｃおよび保護枠１１１ｄから構成されており、断熱材（図示せず）、誘導加熱コイル１１３、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述する。
【００１８】
側壁１１１ａは、略長方形を呈する囲い壁であって、図１および図２に示されるように本体１１０の側面を覆っている。
【００１９】
底壁１１１ｂは、略方形の板状体であって、図１および図２に示されるように側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２０】
肩部材１１１ｃは、略方形状の枠体であって、図１および図２に示されるように側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄは保護枠フランジ部ＦＰ（後述）で肩部材１１１ｃに取り付けられている。
【００２１】
保護枠１１１ｄは、内鍋１３０の外周を保護すると共に肩部材１１１ｃの形状を保つ役目を担う部材であって、図２に示されるように、主に、内鍋収容部ＰＡおよび保護枠フランジ部ＦＰから形成されている。内鍋収容部ＰＡは、内鍋１３０の外周を覆う椀状の部位である。保護枠フランジ部ＦＰは、上述の通り、肩部材１１１ｃの下側に配設されており、肩部材１１１ｃを外側に向かって張ることにより肩部材１１１ｃの形状を維持している。
【００２２】
（２）取っ手
取っ手１１２は、使用者が炊飯器１００を手で持ち運ぶために設けられている部材であって、本体部（図示せず）および軸部（図示せず）から構成されている。本体部はコの字状を呈している。軸部は本体部の両端から内側に向かって延びている。なお、この炊飯器１００において、この軸部は、側壁１１１ａの長手方向中央の上部に形成される孔（図示せず）を通って、保護枠１１１ｄに形成される嵌合部（図示せず）に嵌合されている。
【００２３】
（３）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００２４】
（４）誘導加熱コイル
誘導加熱コイル１１３は、内鍋１３０を誘導加熱する誘導加熱源であって、図２に示されるように保護枠１１１ｄの内鍋収容部ＰＡの底壁部および側壁下端部の外側に配設されている。
【００２５】
（５）サーミスタ
サーミスタ１１４は、温度センサであって、図２に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２に示されるように略円盤状のカバー部材１２７によって支持されている。このカバー部材１２７は、保護枠１１１ｄの内鍋収容部ＰＡの底壁にネジ止めされている。
【００２６】
（６）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００２７】
（７）ヒートシンク
ヒートシンク１１６は、外部の空気と効率よく熱交換を行わせる部品である。
【００２８】
（８）操作パネル
操作パネル１１７は、炊飯器１００の運転方法を決定して実行するためのものであって、図１および図２に示されるように、主に、パネル本体１１７ａおよび押圧ボタンＢＴ等から構成されており、上述の通り、肩部材１１１ｃの前側の上側に配設されている。
【００２９】
（９）電源回路基板
電源回路基板１１８は、電源回路を構成する基板であって、いくつかの発熱部品を実装している。なお、この電源回路基板１１８は、後述する制御回路基板１１９と同様に筐体１１１の前側空間ＳＰｆに収容されている。
【００３０】
（１０）制御回路基板
制御回路基板１１９は、制御回路を構成する基板であって、マイクロコンピュータ等の電子部品を実装している。この制御回路基板１１９は、図２に示されるように筐体１１１の前側空間ＳＰｆに収容されており、ヒートシンク１１６の上方、操作パネル１１７の下側に配設されている。
【００３１】
（１１）自動巻取式電源コードユニット
自動巻取式電源コードユニット１２０は、電源コードおよび自動巻取機構（図示せず）等から構成されており、図２に示されるように筐体１１１の後側の空間に収容されている。電源コードは、差込プラグ（図示せず）および電気線（図示せず）から構成されている。差込プラグ（図示せず）は、電気線の先端に配設されている。電気線は、伸展自在に自動巻取機構に巻回されている。
【００３２】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００３３】
３．蓋体
蓋体１４０は、図１および図２に示されるように、主に、外装体１４１、開閉機構１４２、圧力調整機構１４３、補強部材（図示せず）および内蓋１４５から構成されている。蓋体１４０は、ヒンジ機構１５０を介して本体１１０に回動自在に取り付けられている。
【００３４】
（１）外装体
外装体１４１は、図１および図２に示されるように、略直方体状の部材であって、開閉ボタン組立体１４２ａ、圧力調整機構１４３およびレバー部材１４６等を収容している。なお、ここで、ボタンカバー１４２ｂは、図１および図２に示されるように、上面が外装体１４１の上側に露出するように外装体１４１に配設されている。また、ここで、この外装体１４１は、使用時の内圧に耐えることができるように補強部材によって補強されている。この外装体１４１の下面には、着脱自在に内蓋１４５が配設されている。
【００３５】
（２）開閉機構
開閉機構１４２は、図３および図４に示されるように、主に、開閉ボタン組立体１４２ａ、開閉ボタン支持体１４２ｅ、第２コイルバネ１４２ｆおよびレバー部材１４６から構成されている。
【００３６】
開閉ボタン組立体１４２ａは、図３および図４に示されるように、主に、ボタンカバー１４２ｂ、ボタン本体１４２ｃおよび第１コイルバネ１４２ｄから構成されている。なお、ボタンカバー１４２ｂは、平面視においてボタン本体１４２ｃの長手方向の両端部に配設される一対の第１コイルバネ１４２ｄによって上方に向かって付勢されている。
【００３７】
ボタンカバー１４２ｂは、図３〜図５に示されるように、周壁を有する角丸長方形状であり、底面視において短手方向の中央を通る長手方向に沿った線上の両端部近傍に配設される一対の挿通棒１４２ｇを有すると共に、長手方向の周壁から下方に向かって延びる４つの係合爪部Ｎａを有している。挿通棒１４２ｇは、ボタンカバー１４２ｂが押し下げられていない状態において、ボタン本体１４２ｃの上側挿通孔ＨＬａ（後述）および開閉ボタン支持体１４２ｅの下側挿通孔ＨＬｂ（後述）を通っている。また、挿通棒１４２ｇは、第１コイルバネ１４２ｄおよび第２コイルバネ１４２ｆ（後述）によって介装されている。係合爪部Ｎａは、ボタンカバー１４２ｂが押し下げられていない状態において、外装体１４１に形成される係合爪受孔（図示せず）と係合している。このため、ボタンカバー１４２ｂは、後述するレバー部材１４６のコイルバネ接触部１４６ｆの下側に設置されるコイルバネ（図示せず）の付勢力によって外装体１４１から押し出されない。
【００３８】
ボタン本体１４２ｃは、図３、図４および図６に示されるように、短手方向の中央を通る長手方向に沿った線上の両端部に一対の上側挿通孔ＨＬａを有すると共に、下面において同一線上の一対の上側挿通孔ＨＬａの間に突起部Ｐａ、ＰｂおよびＰｃを備えている。また、ボタン本体１４２ｃは、開閉ボタン支持体１４２ｅ（後述）の平面視において長手方向の両端部に配設される一対の第２コイルバネ１４２ｆによって上方に向かって付勢されている。ボタン本体１４２ｃは、使用者によってボタンカバー１４２ｂが押し下げられると、第２コイルバネ１４２ｆの付勢力に逆らってボタンカバー１４２ｂと共に押し下げられる。また、突起部Ｐａ、ＰｂおよびＰｃの配列方向は、後述するレバー部材１４６を枢支する軸受け孔１４６ｅを挿通する軸（図示せず）と略平行関係にある。なお、ボタンカバー１４２ｂが押し下げられていない状態において、突起部Ｐａは被押圧部１４６ｂとわずかに接触するように設計されており、突起部Ｐｂおよび突起部Ｐｃは被押圧部１４６ｂと接触しないように設計されている。
【００３９】
開閉ボタン支持体１４２ｅは、図３および図４に示されるように、短手方向の中央を通る長手方向に沿った線上の両端部に一対の下側挿通孔ＨＬｂを有する。また、開閉ボタン支持体１４２ｅには、図３および図４に示されるように、開口部ＯＰが形成されている。開口部ＯＰには、レバー部材１４６の被押圧部１４６ｂ（後述）が挿入される。
【００４０】
上述の通り、ボタンカバー１４２ｂの挿通棒１４２ｇは、ボタンカバー１４２ｂが押し下げられていない状態において、ボタン本体１４２ｃの上側挿通孔ＨＬａおよび開閉ボタン支持体１４２ｅの下側挿通孔ＨＬｂを通っている。すなわち、ボタンカバー１４２ｂは、使用者によって押し下げられた際に、一定の範囲まで傾くことを許容しつつ極端に傾くことがないように設計されている。
【００４１】
レバー部材１４６は、図３および図４に示されるように、胴体部１４６ａ、被押圧部１４６ｂ、延設板部１４６ｃ、爪部１４６ｄおよびコイルバネ接触部１４６ｆから構成されている。被押圧部１４６ｂは、図３に示されるように、胴体部１４６ａの中央部の後側から上方に向かって延びたあと後方に向かって延びており、ボタン本体１４２ｃの突起部Ｐａ、ＰｂおよびＰｃと対向している。延設板部１４６ｃは、胴体部１４６ａの前側から下方に延びており、左右一対である。爪部１４６ｄは、各延設板部１４６ｃの下部から後方に向かって延びている。コイルバネ接触部１４６ｆは、図３に示されるように、胴体部１４６ａの右側端部の後側から上方に向かって延びたあと後方に向かって延びている。また、レバー部材１４６は、金属板部材であって、左右一対の軸受け孔１４６ｅを挿通する軸（図示せず）によって外装体１４１に枢支されていると共に、コイルバネ接触部１４６ｆの下側に設置されるコイルバネ（図示せず）によって上方に向かって付勢されている。なお、被押圧部１４６ｂは、左右一対の軸受け孔１４６ｅを挿通する軸よりも後方に位置するように設計されている。
【００４２】
そして、使用者が蓋体１４０を閉状態としようとするとき、使用者は開閉機構１４２を操作する必要がなく、そのまま蓋体１４０を本体１１０に向かって倒し込めばよい。このとき、レバー部材１４６の爪部１４６ｄが、肩部材１１１ｃに形成される傾斜面（図示せず）に接触しながら下方に移動していく。この間、レバー部材１４６の延設板部１４６ｃおよび爪部１４６ｄは、コイルバネ接触部１４６ｆの下側に設置されるコイルバネ（図示せず）の付勢力に逆らって前方に向かって回動する。そして、爪部１４６ｄが、肩部材１１１ｃに形成される爪受孔（図示せず）まで達すると、コイルバネ接触部１４６ｆの下側に設置されるコイルバネの付勢力により爪部１４６ｄがその爪受孔に嵌り込む。このようにして蓋体１４０が閉状態となる。一方、蓋体１４０を開状態とするとき、使用者はボタンカバー１４２ｂを押し下げる。使用者がボタンカバー１４２ｂの中央部を押し下げた場合、ボタン本体１４２ｃが、第２コイルバネ１４２ｆの付勢力に逆らってボタンカバー１４２ｂと共に押し下げられる。この際、ボタン本体１４２ｃの突起部Ｐａがレバー部材１４６の被押圧部１４６ｂを押圧することになり、レバー部材１４６の延設板部１４６ｃおよび爪部１４６ｄがコイルバネ接触部１４６ｆの下側に設置されるコイルバネの付勢力に逆らって前方に向かって回動する。このとき、爪受孔に嵌り込んでいた爪部１４６ｄが爪受孔から引き出される。そして、ヒンジ機構１５０の付勢力により蓋体１４０が上方に持ち上げられ、蓋体１４０が開状態となる。また、使用者がボタンカバー１４２ｂの端側を押し下げた場合、ボタン本体１４２ｃが、第２コイルバネ１４２ｆの付勢力に逆らってボタンカバー１４２ｂと共に押し下げられる。この際、ボタン本体１４２ｃの突起部Ｐｂおよび突起部Ｐｃのどちらか一方だけでなく突起部Ｐａもレバー部材１４６の被押圧部１４６ｂを押圧することになり、レバー部材１４６の延設板部１４６ｃおよび爪部１４６ｄがコイルバネ接触部１４６ｆの下側に設置されるコイルバネの付勢力に逆らって前方に向かって回動する。このとき、爪受孔に嵌り込んでいた爪部１４６ｄが爪受孔から引き出される。そして、ヒンジ機構１５０の付勢力により蓋体１４０が上方に持ち上げられ、蓋体１４０が開状態となる。
【００４３】
（３）圧力調整機構
圧力調整機構１４３は、蓋体１４０が閉状態とされ圧力炊飯運転されている状態において、内鍋１３０の内部の圧力を１．０３〜１．３気圧に調整する機構であって、主に、調圧ボール（図示せず）、調圧ボール収容部１４３ａ、往復動アクチュエータ１４３ｂおよび作用ロッド１４３ｃから構成されている。調圧ボールは、調圧ボール収容部１４３ａに収容されており、下側外装部材１４１ｂに形成されている調圧孔（図示せず）の上側に配設されている。そして、この調圧ボールは、作用ロッド１４３ｃの押棒部（図示せず）に押されていない状態において調圧孔を塞ぐように弁座に鎮座して内鍋１３０の内圧を調整し（内鍋１３０の内圧が所定値以上になると、この調圧ボールが押し上げられ、一時的に内圧が低下させられる。）、押棒部に押された状態において調圧孔を常時開放する。往復動アクチュエータ１４３ｂは、ソレノイドを利用した電磁式ピストンであり、図７に示されるようにそのピストンＰＴの先端に作用ロッド１４３ｃが取り付けられている。なお、ここで、往復動アクチュエータ１４３ｂのピストンＰＴが後退すると作用ロッド１４３ｃが前方に移動し、往復動アクチュエータ１４３ｂのピストンＰＴが前進すると作用ロッド１４３ｃが後方に移動する。そして、作用ロッド１４３ｃが前方に移動すると、調圧ボールが、調圧孔を塞ぐように弁座に鎮座する状態となる（すなわち圧力炊飯運転状態となる）と共に、作用ロッド１４３ｃの開閉ロック部（後述）ＲＣによりレバー部材１４６の回動運動が規制されて蓋体１４０が開かない状態となる。一方、作用ロッド１４３ｃが後方に移動すると、作用ロッド１４３ｃの押棒部（後述）によって調圧ボールが調圧孔から押し除けられ、調圧孔を常時開放する状態となると共に、作用ロッド１４３ｃの開閉ロック部ＲＣによるレバー部材１４６の回動運動の規制が解除されて蓋体１４０が開く状態となる。作用ロッド１４３ｃは、図７に示されるように、主に、押棒部、延設部ＥＰおよび開閉ロック部ＲＣから形成されている。押棒部は、調圧ボール収容部１４３ａに出没自在であって、上述の通り、圧力炊飯運転以外において調圧ボールを押して調圧孔を常時開放する役目を担っている。延設部ＥＰは、押棒部と開閉ロック部ＲＣとを物理的に連結する部位であって、平面視において略Ｌ字形を呈している。開閉ロック部ＲＣは、図７に示されるように、延設部ＥＰの前端に設けられている部位であって、レバー部材１４６のコイルバネ接触部１４６ｆの下側の隙間に出没自在とされている。なお、この開閉ロック部ＲＣは、圧力炊飯運転時すなわち作用ロッド１４３ｃが前方に移動するとき、前述の隙間に進入し、作用ロッド１４３ｃが後方に移動するとき、前述の隙間から抜き出ることになる。なお、本実施の形態において、この圧力調整機構としては、特に限定されず、従前のものが採用されてもかまわない。
【００４４】
（４）補強部材
補強部材は、蓋体１４０の強度を高めるためのものである。なお、本実施の形態において、補強部材は、特に限定されず、金属板そのものであってもよいし、金属板を複雑形状にしたものであってもよい。
【００４５】
（５）内蓋
内蓋１４５は、図２に示されるように内鍋１３０の上部を覆って密閉するための部材である。
【００４６】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００４７】
＜本発明の実施の形態に係る開閉ボタン組立体の特徴＞
（１）
本発明の実施の形態に係るボタン本体１４２ｃでは、突起部Ｐａはボタン本体１４２ｃの下面の中央に配設されている。そして、突起部Ｐｂおよび突起部Ｐｃは、ボタンカバー１４２ｂを押し下げることによってボタンカバー１４２ｂと共にボタン本体１４２ｃが押し下げられる際に、被押圧部１４６ｂの端側と接触するようにボタン本体１４２ｃの下面にそれぞれ配設されている。また、ボタンカバー１４２ｂが押し下げられていない状態において、突起部Ｐａは被押圧部１４６ｂとわずかに接触するように設計されており、突起部Ｐｂおよび突起部Ｐｃは被押圧部１４６ｂと接触しないように設計されている。このため、この開閉ボタン組立体１４２ａでは、ボタンカバー１４２ｂの中央部を押し下げた場合はボタン本体１４２ｃの突起部Ｐａが被押圧部１４６ｂを押圧し、ボタンカバー１４２ｂの端側を押し下げた場合はボタン本体１４２ｃの突起部Ｐｂおよび突起部Ｐｃのどちらか一方だけでなく突起部Ｐａも被押圧部１４６ｂを押圧する。このため、この開閉ボタン組立体１４２ａでは、ボタンカバー１４２ｂの端側を押し下げても蓋体１４０が開かない場合にボタンカバー１４２ｂの中央部を押し下げなおす必要がなく、ボタンカバー１４２ｂのどの位置を押し下げても、炊飯器１００の蓋体１４０を開くことができる。
【００４８】
（２）
本発明の実施の形態に係るボタンカバー１４２ｂでは、横長形状のボタンを採用している。このため、このボタンカバー１４２ｂは、デザイン性に優れている。
【００４９】
＜変形例＞
（Ａ）
先の実施の形態に係るボタン本体１４２ｃでは突起部Ｐａ、突起部Ｐｂおよび突起部Ｐｃが配設されていたが、突起部の配設個数は特に限定されず、３つ以上であればよい。かかる場合、突起部は、ボタン本体１４２ｃの下面の中央から両端に向かうほど突起部と被押圧部１４６ｂとの距離が長くなるように設計されるとよい。
【００５０】
（Ｂ）
先の実施の形態に係るボタン本体１４２ｃでは突起部Ｐａはボタン本体１４２ｃの下面の中央に配設されていたが、突起部Ｐａは中央に配設されなくてもよい。かかる場合、突起部Ｐａは、突起部Ｐｂおよび突起部Ｐｃのどちらか一方とボタン本体１４２ｃの下面の中央との間に配設されるとよい。その場合、ボタン本体１４２ｃの下面の中央を挟んで対称となるように別の突起部が配設されることが好ましい。なお、突起部Ｐｂおよび突起部Ｐｃのどちらか一方に近くなるよりもボタン本体１４２ｃの下面の中央に近くなるように突起部Ｐａが配設されることが好ましい。
【００５１】
（Ｃ）
先の実施の形態に係る開閉ボタン組立体１４２ａでは、ボタンカバー１４２ｂが押し下げられていない状態において、ボタン本体１４２ｃの突起部Ｐａは、被押圧部１４６ｂとわずかに接触するように設計されていたが、被押圧部１４６ｂと接触しないように突起部Ｐａの長さを設計してもよい。かかる場合、ボタン本体１４２ｃの突起部Ｐｂと被押圧部１４６ｂとの距離およびボタン本体１４２ｃの突起部Ｐｃと被押圧部１４６ｂとの距離が突起部Ｐａと被押圧部１４６ｂとの距離よりも長くなるように設計する必要がある。
【００５２】
（Ｄ）
先の実施の形態に係るボタン本体１４２ｃでは、突起部Ｐａ、ＰｂおよびＰｃはボタン本体１４２ｃの下面において短手方向の中央を通る長手方向に沿った線上に３つ配設されていたが、突起部Ｐａ、ＰｂおよびＰｃはボタン本体１４２ｃの下面において短手方向の中央以外を通る長手方向に沿った線上に３つ配設されてもよい。
【００５３】
（Ｅ）
先の実施の形態に係るボタン本体１４２ｃでは突起部Ｐａ、ＰｂおよびＰｃは略半円柱形状を呈していたが、突起部Ｐａ、ＰｂおよびＰｃは、略半球状であってもよいし、略直方体形状であってもよい。
【００５４】
（Ｆ）
先の実施の形態に係るボタンカバー１４２ｂでは角丸長方形状のボタンカバーが採用されていたが、ボタンカバーの形状は縦長形状以外であればよい。例えば、長方形状、楕円形状、星型等であってもよい。かかる場合、採用するボタンカバーの形状によって、ボタン本体または開閉ボタン支持体の形状を調整するとよい。
【００５５】
（Ｇ）
先の実施の形態に係る開閉ボタン組立体１４２ａでは、ボタンカバー１４２ｂ、ボタン本体１４２ｃおよび第１コイルバネ１４２ｄそれぞれに分解可能であったが、第１コイルバネを省いてボタンカバーとボタン本体を不可分一体とした開閉ボタン組立体を採用してもよい。
【００５６】
（Ｈ）
先の実施の形態に係るレバー部材１４６はコイルバネ接触部１４６ｆの下側に設置される１つのコイルバネによって上方に向かって付勢されていたが、胴体部１４６ａのもう一方の後端部にもコイルバネ接触部を設けて下側にコイルバネを設置してもよい。
【００５７】
（Ｉ）
本実施形態では本発明が炊飯器に適用されたが、本発明は、蓋体が本体に対して回動自在であり、かつ開閉ボタンを有するあらゆる電化製品や容器、例えば、ホームベーカリー、加湿器、電気ケトル、ポット等に適用されてもよい。
【符号の説明】
【００５８】
１４２          ：開閉機構
１４２ａ        ：開閉ボタン組立体（開閉ボタン）
１４６          ：レバー部材（係止部材）
１４６ｂ        ：被押圧部
１４６ｄ        ：爪部（掛止部）
１４６ｅ        ：軸受け孔
Ｐａ，Ｐｂ，Ｐｃ：突起部
【図１】
2020192075.tif 000003
【図２】
2020192075.tif 000004
【図３】
2020192075.tif 000005
【図４】
2020192075.tif 000006
【図５】
2020192075.tif 000007
【図６】
2020192075.tif 000008
【図７】
2020192075.tif 000009